(57)【特許請求の範囲】
【請求項１】
毛髪をパーマネント的に再造形する方法に使用する還元剤であって、前記還元剤が少なくとも、
１）水性媒体中に１種以上のチオールを有する還元剤を含む組成物を含む第一成分、
２）水性又は油状分散液として又は逆エマルジョンとして水性媒体中に１種以上の増粘ポリマーを含む組成物を含む第二成分、
を含み、
前記増粘ポリマーが、アクリル酸アンモニウム／アクリルアミドコポリマー、アクリルアミド／2-アクリルアミドメチルプロパンスルホン酸コポリマー、アクリル酸ナトリウム／アクリルアミドコポリマー、トリメチルエチルアンモニウムメタクリレートクロライド／アクリレートのコポリマー、架橋したエチルトリメチルアンモニウムメタクリレートクロライドのホモポリマー及びヒドロキシプロヒルメチルセルロースから選択され、
前記第一及び第二成分は、毛髪に塗布して毛髪のジスルフィド結合を還元するためのすぐ使用できる還元組成物を得るために、使用時に混合される、前記還元剤。
【請求項２】
前記第一成分中のチオールを有する還元剤が、チオグリコール酸、チオ乳酸、システイン、システアミン及びチオグリコール酸のグリセリンエステルから選択される、請求項１記載の還元剤。
【請求項３】
前記チオールを有する還元剤が、すぐ使用できる組成物中の還元剤の濃度がすぐ使用できる組成物の総重量に対して１乃至２５重量％であるような割合で存在する、請求項１又は２記載の還元剤。
【請求項４】
前記増粘ポリマーが、混合後、すぐ使用できる組成物の総重量に対して０．１乃至３０重量％の割合で存在する、請求項１乃至３のいずれか１項に記載の還元剤。
【請求項５】
毛髪をパーマネント的に再造形する方法であって、
１）請求項１乃至４のいずれか１項に記載の還元剤を水性媒体中に含む組成物を、請求項１乃至４のいずれか１項に記載の、水性又は油状分散液として又は逆エマルジョンとして増粘ポリマーを含む組成物とあらかじめ混合し、
２）このようにして得られたすぐ使用できる組成物を、機械的手段により毛髪を張力下におく工程又はいずれかの手による手段により造形する工程の前、最中又は後に毛髪に塗布し、
３）毛髪のジスルフィド結合を還元させるのに十分な時間前記組成物を毛髪上に放置した後、かつ必要に応じて洗浄した後、１種以上の酸化剤を含む固定組成物を塗布し、
４）パーマネント的に再造形するのに十分な時間前記固定組成物を毛髪上に放置した後、洗浄を実施する、
前記方法。
【請求項６】
すぐ使用できる組成物の総重量に対して１乃至９９重量％の還元剤を水性媒体中に含む組成物を、すぐ使用できる組成物の総重量に対して９９乃至１重量％の、分散液として又は逆エマルジョンとして増粘ポリマーを含む組成物と混合する、請求項５記載の方法。
【発明の詳細な説明】
【０００１】
【発明の属する技術分野】
本発明は、水溶液中に還元剤を含む組成物及び特定の増粘剤を含む組成物を含み、２種類の組成物を使用前に混合し、毛髪をパーマネント的に再造形するために毛髪を処理する方法に混合物が使用される、少なくとも２成分を含む還元剤、及びこの還元剤を用いる方法に関する。
毛髪に長期間継続する形を課するための美容分野において通常使用される技術の一は、還元剤、次いで酸化剤を用いて毛髪を再造形する技術である。
毛髪をパーマネント的に再造形するために最も一般的に使用されている技術は、第一工程において、還元剤を含む組成物を用いてケラチン（シスチン）のジスルフィド（Ｓ−Ｓ）結合を開き、次いで、このように処理された毛髪を好ましくは洗浄した後、第二工程において、カーラー等であらかじめ張力下におかれた、又はその他の手段により造形又は伸ばされた毛髪に、毛髪に所望の最終的な形を賦与するために“固定剤(fixer)"としても知られている酸化組成物を塗布することにより、前記ジスルフィド結合を再形成する技術である。
したがって、この技術は毛髪を波状にすることも、まっすぐにすることも、毛髪のカールを除去することも、平坦にすることも可能である。
【０００２】
化学的処理により毛髪に賦与された新しい形は数週間のような長期間継続し、特に水又はシャンプーを用いた洗浄作用に対して耐性があり、このことは、毛髪を新しい形にしたりシャンプーで洗浄した後消失する再造形のような、毛髪セット剤のような一時的に再造形するスタイリング剤を用いた技術とは対照的である。
パーマネント的にウェーブさせる作業の第一工程に一般的に使用される還元剤組成物は、還元剤としてスルフィット、ビスルフィット又は、好ましくはチオールを含む。これらには、特にシステイン及びその誘導体、システアミン及びその誘導体、チオ乳酸及びチオグリコール酸及びそのエステル、特にチオグリコール酸のグリセリンエステルがある。チオグリコール酸が特に効果的で、ケラチンのジスルフィド結合を還元するのに最もしばしば使用される製品を構成する。
例えば、カーラーなしで再造形する方法、又は毛髪をまっすぐにする方法のようなある種のパーマネント的にウェーブさせる技術には、塗布を容易にし、毛髪上の製品の局在化を良好にし、還元組成物の流動を回避し、毛髪を所望の位置に保持するために十分に増粘された還元剤を使用することが好ましい。
【０００３】
【発明が解決しようとする課題】
しかしながら、増粘された還元剤の配合は、しばしばずっと不安定であるという問題のために特に困難である。一般的にはいくつかの現象がおこる。特に、製品の粘度の降下及び／又は還元剤力価の減少、及び／又は不快な臭いの出現、又はこれらの欠点の全てが同時にしばしば観察される。
増粘系をケラチン繊維の還元剤から分離する場合には（多成分系）、混合後に十分迅速にかつ十分容易に均質な増粘を得ることは困難である。
【０００４】
【課題を解決するための手段】
本発明は、水溶液中にチオールを有する還元剤を含む組成物を含む第一成分と、特定の形で増粘ポリマーを含む組成物を含む第二成分を含む、２成分を含む還元剤を提供することによりこれらの種々の問題を解決する。
本発明の組成物は特に、２成分を単に混合することにより、増粘された均質の還元組成物がほとんど直ちに得られるので、調製が非常に容易でかつ迅速であるという利点を有する。
更に、本発明の還元組成物は、特に全ての用途、特にカーラーに巻かれていない毛髪への用途に適するテキスチャーを有する。この組成物は塗布が容易なので、流動しないし、毛髪を所望の位置に保持できる。
本発明の主題の一は、水溶液中に還元剤を含む組成物及び水性又は油状分散液として又は逆エマルジョンとして増粘ポリマーを含む組成物を含む、少なくとも２成分を含む還元剤を含む。
本発明の別の主題は、使用前に前述の還元剤の２成分を混合することにより得られる組成物を用いて毛髪をパーマネント的に再造形し、次いで酸化組成物を塗布する方法を含む。
本発明のその他の主題は、以下の記載及び実施例を読むと明らかになろう。
【０００５】
本発明による還元剤は実質的に、
（１）水性媒体中に１種以上のチオールを有する還元剤を含む組成物を含む第一成分（Ａ）、
（２）水性又は油状分散液として又は逆エマルジョンとして水性媒体中に１種以上の増粘ポリマーを含む組成物を含む第二成分（Ｂ）、
を含むものであり、
成分（Ａ）及び（Ｂ）は、毛髪のジスルフィド結合を還元するために毛髪に塗布するためのすぐ使用できる還元組成物を得るために、使用時に混合される予定になっている。
好ましくは、還元剤は、チオグリコール酸、チオ乳酸、システイン、システアミン、チオグリセリン及びチオグリコール酸のグリセリンエステル又は化粧品製造上許容しうるその塩の一、例えば、特に塩化水素塩、臭化水素塩、くえん酸塩、酢酸塩及び硫酸塩から選択される。
還元剤は、ジスルフィド結合を還元するのに十分な割合で、好ましくはすぐ使用できる組成物の総重量に対して１乃至２５重量％、特に３乃至２５重量％の割合で使用される。
【０００６】
成分（Ｂ）中の増粘ポリマーは好ましくは、
−ヘキストから市販されているBozepol C のような、W/O 逆エマルジョンとしてのアクリル酸アンモニウム／アクリルアミドコポリマー、
−SEPPICから市販されているSepigel 305 のような、W/O 逆エマルジョンとしてのアクリルアミド／2-アクリルアミドメチルプロパンスルホン酸コポリマー、
−SEPPICから市販されているSepigel 901 のような、W/O 逆エマルジョンとしてのアクリル酸ナトリウム／アクリルアミドコポリマー、
−アライド・コロイドから市販されているSalcare SC 92 のような、油中分散液としてのトリメチルエチルアンモニウムメタクリレートクロライド／アクリレートのコポリマー、
−アライド・コロイドから市販されているSalcare SC 95 のような、油中分散液としての架橋したエチルトリメチルアンモニウムメタクリレートクロライドのホモポリマー、
−Herculesから市販されているAQU D-3295A のような、水性分散液としてのヒドロキシプロヒルメチルセルロース、
から選択される。
【０００７】
増粘ポリマーは、成分（Ａ）及び（Ｂ）の混合より得られるすぐ使用できる組成物の粘度が、頭皮上を流動しない及び／又は毛髪に賦与された再造形を保持するのに十分であるような割合で組成物（Ｂ）中に存在する。
増粘ポリマーは好ましくは、すぐ使用できる組成物の総重量に対して０．１乃至３０重量％の割合で使用される。
前述の成分（Ａ）及び／又は成分（Ｂ）はまた１種以上のアルカリ剤を含みうる。
アルカリ剤は特に、モノエタノールアミン、ジエタノールアミン、トリエタノールアミン、イソプロパノールアミン、1,3-プロパンジアミン、アンモニウム又はアルカリ金属の炭酸塩又は重炭酸塩、グアニジンカーボネートのような有機カーボネート又はアルカリ金属の水酸化物から選択され、単独又は混合物として使用される。
成分（Ａ）のpH及び成分（Ｂ）のそれは、すぐ使用できる組成物のpHが７．０乃至１１．０になるように調整される。
還元剤はまた、成分（Ａ）中又は成分（Ｂ）中、又はすぐ使用できる混合物中のいずれかに、アニオン、非イオン又は両性種の界面活性剤及び処理剤を含みうる。
【０００８】
使用される界面活性剤は、パーマネント的にウェーブさせる還元組成物中に通常使用されるものであり、非イオン、アニオン、カチオン又は両性種のいずれでもよい。特に、アルキルスルフェート、アルキルベンゼンスルフェート、アルキルエーテルスルフェート、アルキルスルホネート、４級アンモニウム塩、アルキルベタイン、オキシエチレン化アルキルフェノール、脂肪酸アルカノールアミド、オキシエチレン化脂肪酸エステル及びヒドロキシプロピルエーテル族の非イオン界面活性剤がある。
これらの界面活性剤は一般的には、成分（Ａ）及び（Ｂ）の混合より得られる組成物中で、組成物の総重量に対して最高約３０重量％、好ましくは０．５乃至１０重量％であるような割合で使用される。
使用されうる処理剤は、揮発性又は非揮発性の、線状又は環状のシリコーン又はその混合物で、ポリジメチルシロキサン、フランス特許出願第2,535,730 号明細書に記載されているような４級化ポリ有機シロキサン、米国特許第 4,749,732号公報に記載されているようなアルコキシカルボニルアルキル基で変性されているアミノアルキル基を含むポリ有機シロキサン、ポリジメチルシロキサン／ポリオキシアルキルコポリマー（例えば、ジメチコンコポリオール）のようなポリ有機シロキサン、ステアロキシ末端基を含むポリジメチルシロキサン（ステアロキシジメチコン）、英国特許公開第 2,197,352号公報に記載されているようなポリジメチルシロキサン／ジアルキルアンモニウムアセテートコポリマー又はポリジメチルシロキサン／ポリアルキル錫コポリマー、フランス特許第 1,530,369号公報及び欧州特許公開第 0,295,780号公報に記載されているようなメルカプト又はメルカプトアルキル基で有機変性されたポリシロキサン、及びステアロキシトリメチルシランのようなシランである。
【０００９】
蝋、カチオン、アニオン、非イオン又は両性ポリマーである化粧品製造上許容しうるポリマーから選択されたポリマー、ジメチルイソソルビトールのような還元剤の有効性を強化する膨潤及び浸透剤、尿素及びその誘導体、ピロリドン、n-アルキルピロリドン、チアモルホリノン、アルキレングリコール又はジアルキレングリコールのアルキルエーテル（例えば、プロピレングリコールモノメチルエチルエーテル、ジプロピレングリコールモノメチルエーテル）、Ｃ3 〜Ｃ6 のアルカンジオール（例えば、1,2-プロパンジオール）、2-イミダゾリジノン、及び脂肪アルコール、ラノリン誘導体、セラミド及び特にセラミド自体、グリコセラミド及び擬似セラミド（特に、フランス特許公開第 95/1399号公報及びダウニング、ジャーナル・オブ・リピッド・リサーチ、第３５巻、２０６０頁（１９９４年）、又はフランス特許公開第 2,673,197号公報、欧州特許公開第 0,227,994号公報、国際特許公開第 94/07844 号公報及び国際特許公開第 92/05674 号公報に記載されており、それらの内容は本願明細書に含まれるものとする）のようなその他の化合物、パントテン酸及びパンテノールのような活性成分、毛髪の損失を予防する薬剤、抗フケ剤、懸濁剤、金属イオン封鎖剤、不透明剤、染料、日焼け止め、香料及び防腐剤のようなその他の処理剤も使用しうる。
【００１０】
使用する前に、前述のように定義した成分（Ｂ）を、前述のように定義した成分（Ａ）と混合する。
好ましくは、総重量に対して１乃至９９重量％、特に６０乃至９８．５重量％の還元剤を含む成分（Ａ）を、９９乃至１重量％、特に１．５乃至４０重量％の、水性又は油状分散液として又は逆エマルジョンとして増粘ポリマーを含む成分（Ｂ）と混合する。
本発明による方法は実質的に、
１）前述のように定義した還元剤を水性媒体中に含む組成物を、前述のように定義した、水性又は油状分散液として又は逆エマルジョンとして増粘ポリマーを含む組成物とあらかじめ混合し、
２）このようにして得られた組成物を、機械的手段により毛髪を張力下におく工程又はいずれかの手による手段により造形する工程の前、最中又は後に、湿った又は乾燥した毛髪に塗布し、
３）毛髪のジスルフィド結合を還元させるのに十分な時間組成物を毛髪上に放置した後、かつ必要に応じて洗浄した後、１種以上の酸化剤を含む固定組成物を塗布し、
４）十分な時間固定組成物を毛髪上に放置した後、最終的な洗浄を実施する、
方法である。
【００１１】
毛髪を張力下におく工程は、例えばカーラー等のようないずれかの適する公知の機械的手段により実施しうる。
本発明の組成物によれば、毛髪を張力下におく装置を用いることなしに、すなわち、単に指又は櫛を用いて組成物を塗布することにより、カール、ウェーブ又はスパイクのような、所望の位置に毛髪を保持するために毛髪を造形する方法を実施することが可能である。
本発明の方法の任意の工程によれば、還元組成物を塗布した後、３０乃至６０℃の温度に加熱することにより毛髪を熱処理しうる。この加熱は、毛髪の最終的な巻き毛の程度を任意に調整する。
実際には、この作業は、調髪用フード、ヘアドライヤー、赤外線放射器及びその他の標準加熱装置を用いて実施しうる。
言うまでもなく、室温で作業することも可能である。
本発明の特定の実施態様によれば、還元後、特に毛髪を機械的手段以外の手段により造形した場合には、洗浄工程を実施しないことが可能である。
【００１２】
一般的には、洗浄又は酸化組成物の塗布を実施する前に、毛髪上で確実に作用するのに十分な時間を還元剤に付与するために、還元組成物が塗布された毛髪を数分間、一般的には２乃至３０分間、好ましくは５乃至２０分間放置する。
この待機の段階で、次の工程を開始するまでに毛髪が完全には乾燥しないで湿気が残っていることを確保するように注意する。このため、カバー又は保護ゲルを使用しうる。
固定組成物中で使用しうる酸化剤は、特に過酸化水素又は過酸化水素水溶液、過酸化尿素、アルカリ金属の臭素酸塩、過臭素酸塩及び過硫酸塩のような過酸塩、及びペルオキシダーゼ及び２電子オキシドレダクターゼのような酵素から選択しうる。過酸化水素又は酵素を使用することが特に好ましい。
過酸化水素水溶液の濃度は１乃至１０容量であるが、好ましくは約８容量である。
アルカリ金属の臭素酸塩の濃度は、酸化組成物の総重量に対して１乃至１２重量％であり、過酸塩のそれは０．１乃至１５重量％である。
【００１３】
酸化組成物のpHは２乃至７であり、特に過酸化水素水溶液の場合には好ましくは３乃至６である。
過酸化水素水溶液は、例えばフェナセチン、アセトアニリン、燐酸モノナトリウム及びトリナトリウム又は8-ヒドロキシキノリンスルフェートで安定化しうる。
固定すなわち酸化組成物は、更に、前述のように定義したアルカリ剤、界面活性剤又は処理剤も含みうる。
毛髪を機械的手段により張力下においた場合には、処理の間中所望の形状に毛髪を張力下に保持する機械的手段又はカーラー等は、固定工程の前又は後に毛髪から除去しうる。
固定組成物を毛髪上に残す時間は、５乃至３０分、特に５乃至１５分である。
以下の実施例は、本発明を全く限定しないで説明するものである。
【００１４】
【実施例】
0003862879.tif 000002
使用時に、成分Ａ及び成分Ｂをシェーカーに導入した。混合物を振盪すると、すぐ使用できる均質なクリーム状の白色ゲルがただちに得られた。
【００１５】
0003862879.tif 000003
使用時に、成分Ａ及び成分Ｂをシェーカーに導入した。混合物を振盪すると、すぐ使用できる均質なクリーム状の白色ゲルがただちに得られた。